(57)【要約】【課題】ドア等の可動体の周辺で利用者の受ける制約が軽減される可動体保持装置、及び、ドアストッパーを提供する。【解決手段】回転機構２０は、回転アーム２１を備え、回転アーム２１における一対の端部を、ドアのキャッチャー１０側とドアのストッパー部３０側とに出す突出位置と、ドア上の位置である退避位置とに変位させ、キャッチャー１０は、キャッチャー１０側に突出した端部との係合によりドアを誘導し、ストッパー部３０は、前記ストッパー部３０側に突出した前記端部との係合により前記ドアを保持する。回転機構２０は、ドアがキャッチャー１０に誘導されるときに突出位置の端部を退避位置へ制動しながら付勢により変位させ、ドアがストッパー部３０へ移動するときに退避位置の端部を突出位置へ変位させる。【選択図】図１
2014101653.tif 000002
【特許請求の範囲】
【請求項１】
可動体を誘導する誘導部と、
可動体を保持する保持部と、
前記誘導部と前記保持部との間を移動する可動体に設けられる回転機構と、を備え、
前記回転機構は、回転アームを備え、前記回転アームにおける一対の端部を、前記可動体の前記誘導部側と前記可動体の前記保持部側とに出す突出位置と、前記突出位置よりも前記可動体に近い位置である退避位置とに変位させ、
前記誘導部は、前記誘導部側に突出した前記端部との係合により前記可動体を誘導し、
前記保持部は、前記保持部側に突出した前記端部との係合により前記可動体を保持し、
前記回転機構は、
前記可動体が前記誘導部に誘導されるときに前記突出位置の前記端部を前記退避位置へ制動しながら付勢により変位させ、前記可動体が前記誘導部から前記保持部へ移動するときに前記退避位置の前記端部を前記突出位置へ変位させる
可動体保持装置。
【請求項２】
前記保持部は、
前記端部と前記保持部との係合と、その係合の解除とを切り替える切り替え部と、
前記切り替え部における切り替えを操作する操作部と、を備える
請求項１に記載の可動体保持装置。
【請求項３】
前記回転機構は、
前記一対の端部を前記退避位置に向けて付勢する付勢部と、
前記一対の端部が前記突出位置に配置されるときに前記付勢を解除する解除部と、を備える
請求項１及び２に記載の可動体保持装置。
【請求項４】
ドアフレームに設けられる誘導部と、
壁面に設けられる保持部と、
ドアに設けられる回転機構と、を備え、
前記回転機構は、回転アームを備え、前記回転アームにおける一対の端部を、前記ドアの前記誘導部側と前記ドアの前記保持部側とに出す突出位置と、前記ドア上の位置である退避位置とに変位させ、
前記誘導部は、前記誘導部側に突出した前記端部との係合により前記ドアを引き寄せ、
前記保持部は、前記保持部側に突出した前記端部との係合により前記ドアを保持し、
前記回転機構は、
前記ドアが前記誘導部に引き寄せられるときに前記端部を制動しながら前記退避位置へ変位させ、前記ドアが前記誘導部から前記保持部へ移動するときに前記端部を前記突出位置へ変位させる
ドアストッパー。
【発明の詳細な説明】
【技術分野】
【０００１】
本開示の技術は、可動体を誘導する誘導部と該可動体を保持する保持部とを備える可動体保持装置に関し、例えば、ドアフレームに設けられる誘導部と壁面に設けられる保持部とを備え、ドアの誘導とドアの保持とに用いられる可動体保持装置、及び、ドアストッパーに関する。
【背景技術】
【０００２】
上記可動体保持装置の一例として、ドアフレームから開放されたドアを壁面に固定するドアストッパーが知られている（例えば、特許文献１、及び、特許文献２参照）。ドアストッパーは、例えば、ドアの回転先になる壁面に固定され、ドアから突き出たフックとドアストッパーとの係合によって、ドアは開放された状態に保たれる。
【先行技術文献】
【特許文献】
【０００３】
【特許文献１】特開平１０−１６９２８５号公報
【特許文献２】特開２００２−３７１７４０号公報
【発明の概要】
【発明が解決しようとする課題】
【０００４】
ところで、ドアストッパーとフックとの配置には、ドアストッパーが壁面に固定され、且つ、フックがドアに固定される形態と、ドアストッパーがドアに固定され、且つ、フックが壁面に固定される形態とが知られている。いずれの配置の形態であっても、ドアストッパーとフックとの係合によってドアは開放された状態に保たれるが、ドアに固定される構造体がドアストッパーであれフックであれ、結局のところ、ドアから突き出た構造体は必要とされる。そして、ドアから突き出た構造体は、ドアが閉じられた状態であってもドアから突き出た状態であるため、ドアが閉じられた状態では、ドアの周辺で利用者が移動したり、ドアの周辺で利用者が物品を運んだりする際に、利用者は動作に対して制約を受けることになる。
【０００５】
本開示の技術は、ドア等の可動体の周辺で利用者の受ける制約が軽減される可動体保持装置、及び、ドアストッパーを提供することを目的とする。
【課題を解決するための手段】
【０００６】
本開示における可動体保持装置の一態様は、可動体を誘導する誘導部と、可動体を保持する保持部と、前記誘導部と前記保持部との間を移動する可動体に設けられる回転機構と、を備える。前記回転機構は、回転アームを備え、前記回転アームにおける一対の端部を、前記可動体の前記誘導部側と前記可動体の前記保持部側とに出す突出位置と、前記突出位置よりも前記可動体に近い位置である退避位置とに変位させる。前記誘導部は、前記誘導部側に突出した前記端部との係合により前記可動体を誘導し、前記保持部は、前記保持部側に突出した前記端部との係合により前記可動体を保持する。そして、前記回転機構は、前記可動体が前記誘導部に誘導されるときに前記突出位置の前記端部を前記退避位置へ制動しながら付勢により変位させ、前記可動体が前記誘導部から前記保持部へ移動するときに前記退避位置の前記端部を前記突出位置へ変位させる。
【０００７】
上記の一態様によれば、突出位置に配置された回転アームの端部と保持部との係合によって可動体は保持部に保持される一方で、可動体が誘導部に誘導されるときには、回転アームにおける端部は制動されながら付勢によって退避位置に変位する。それゆえに、可動体が誘導部に誘導される状態では、回転アームが突出位置に配置される場合に比べて、可動体の周辺で利用者の受ける制約が軽減される。
【０００８】
本開示における可動体保持装置の他の態様では、前記保持部は、前記端部と前記保持部との係合と、その係合の解除とを切り替える切り替え部と、前記切り替え部における切り替えを操作する操作部と、を備える。
【０００９】
上記他の態様によれば、保持部と回転アームとの係合とその係合の解除とが操作部による操作によって切り替えられるため、保持部における可動体の保持とその解除との確実性を高めることが可能にもなる。
【００１０】
本開示における可動体保持装置の他の態様では、前記回転機構は、前記一対の端部を前記退避位置に向けて付勢する付勢部と、前記一対の端部が前記突出位置に配置されるときに前記付勢を解除する解除部と、を備える。
【００１１】
上記他の態様によれば、可動体が誘導部に誘導されるときに、一対の端部が退避位置に向けて付勢されるため、回転アームにおける端部の退避が付勢力によって補助される。
また、可動体が誘導部から保持部へ移動するときに、一対の端部を退避位置に向けた付勢力が解除されるため、上記付勢が続けられる場合に比べて、回転アームにおける端部の突出が実現されやすくなる。
【００１２】
本開示におけるドアストッパーの一態様は、ドアフレームに設けられる誘導部と、壁面に設けられる保持部と、ドアに設けられる回転機構と、を備える。前記回転機構は、回転アームを備え、前記回転アームにおける一対の端部を、前記ドアの前記誘導部側と前記ドアの前記保持部側とに出す突出位置と、前記ドア上の位置である退避位置とに変位させる。前記誘導部は、前記誘導部側に突出した前記端部との係合により前記ドアを引き寄せ、前記保持部は、前記保持部側に突出した前記端部との係合により前記ドアを保持する。そして、前記回転機構は、前記ドアが前記誘導部に引き寄せられるときに前記突出位置の前記端部を前記退避位置へ制動しながら付勢により変位させ、前記ドアが前記保持部へ移動するときに前記退避位置の前記端部を前記突出位置へ変位させる。
【００１３】
上記の一態様によれば、突出位置に配置された回転アームの端部と保持部との係合によってドアは壁面に保持される一方で、ドアが誘導部に誘導されるときには、回転アームにおける端部が制動されながら付勢によって退避位置に変位する。それゆえに、ドアがドアフレームに誘導される状態では、回転アームが突出位置に配置される場合に比べて、ドアの周辺で利用者が受ける制約が軽減される。
【発明の効果】
【００１４】
本開示の技術によれば、ドア等の可動体の周辺で利用者の受ける制約が軽減される。
【図面の簡単な説明】
【００１５】
【図１】本開示におけるドアストッパーの一実施形態にてドアストッパーの下面視構造を示す図である。
【図２】一実施形態におけるストッパー部の断面構造を示す断面図である。
【図３】一実施形態におけるドアストッパーの作用を示す作用図であって、回転アームと誘導部であるキャッチャーとが係合するときのドアストッパーの状態を示す図である。
【図４】一実施形態におけるドアストッパーの作用を示す作用図であって、ドアがドアフレームに引き寄せられたときのドアストッパーの状態を示す図である。
【図５】一実施形態におけるドアストッパーの作用を示す作用図であって、ドアが壁面に保持されたときのドアストッパーの状態を示す図である。
【発明を実施するための形態】
【００１６】
図１から図５を参照して本開示の技術における一実施形態を説明する。図１、図３から図５の各々は、可動体保持装置の一例であるドアストッパーの下面視構造を模式的に表し、ドアフレーム、壁面、及び、可動体としてのドアの各々を二点差線で示す。
【００１７】
なお、本実施形態にて適用されるドアは、ドアフレームの一辺あるいは壁面にヒンジを介して連結された片開きドアである。ドアフレームとドアとの各々において、ヒンジの配置される端は基端として設定され、基端とは反対側の端は先端として設定される。また、ドアにおいてドアフレームと面する側が閉動側として設定され、ドアにおいて壁面と面する側が開動側として設定される。
【００１８】
図１に示されるように、ドアフレームの上辺におけるフレーム下端面ＷＦには、誘導部としてのキャッチャー１０が取付けられている。キャッチャー１０は、フレーム下端面ＷＦの長軸方向に沿って延びるブロック状に形成されている。キャッチャー１０の下面には、誘導制御溝１１が形成され、誘導制御溝１１は、キャッチャー１０の外周面のうちドアと面する側面に開口している。キャッチャー１０において誘導制御溝１１を区画する溝側面では、押圧面１１ａと引込面１１ｂとが、この順に開口から連続している。
【００１９】
押圧面１１ａは、誘導制御溝１１の開口からキャッチャー１０の内側、且つ、基端側に向けて傾斜する傾斜面であって、誘導制御溝１１の開口から入る誘導対象物を開口から基端側に向けて変位させながらキャッチャー１０の内部に受け入れる。引込面１１ｂは、押圧面１１ａから基端側に向けて延びる溝側面であって、押圧面１１ａに沿って受け入れられた誘導対象物を先端側から基端側に向けて変位させる。
【００２０】
ドアにおける上側ドア端面ＤＦには、回転機構２０が取り付けられている。回転機構２０に備えられる回転アーム２１は、水平面内にて略Ｖ字状をなす板状体であって、キャッチャー１０の下方を通ることの可能な高さに配置されている。上側ドア端面ＤＦには、上下方向に沿って延びる回転軸Ａが固定され、回転アーム２１は回転軸Ａを中心として水平面内で回転する。回転アーム２１は、回転軸Ａを中心とした回転を通じて、その全体が上側ドア端面ＤＦ上に配置されることの可能な大きさと形状とを有する。
【００２１】
回転アーム２１は、回転軸Ａから閉動側に延びる誘導用アーム片２１ａと、回転軸Ａから開動側に延びる保持用アーム片２１ｂとを備えている。回転アーム２１は、回転軸Ａを中心とした回転を通じて、実線で示される突出位置と、二点鎖線で示される退避位置とに変位する。突出位置では、誘導用アーム片２１ａが上側ドア端面ＤＦから開動側にはみ出し、且つ、保持用アーム片２１ｂが上側ドア端面ＤＦから閉動側にはみだす。退避位置では、回転アーム２１の全てが上側ドア端面ＤＦ上に配置される。
【００２２】
誘導用アーム片２１ａの先端には、誘導用アーム片２１ａの先端から上方に向けて延びる被誘導ピンＰＣが固定されている。被誘導ピンＰＣは、キャッチャー１０に形成された誘導制御溝１１の開口に進入することの可能な高さに配置されている。
【００２３】
保持用アーム片２１ｂの先端には、上下方向に延びるピン挿入孔２１ｃが貫通している。保持用アーム片２１ｂにおける回転軸Ａ側の端部には、回転軸Ａを中心とした円弧片状をなす作動用アーム片２１ｄが形成され、作動用アーム片２１ｄは、回転軸Ａよりも開動側に配置されている。
【００２４】
作動用アーム片２１ｄには、作動用アーム片２１ｄから上方に向けて延びる付勢制御ピンＰ１と、同じく、作動用アーム片２１ｄから上方に向けて延びる制動制御ピンＰ２とが固定されている。付勢制御ピンＰ１と制動制御ピンＰ２との各々は、作動用アーム片２１ｄと同じく、回転軸Ａよりも開動側に配置され、且つ、付勢制御ピンＰ１の先端側に制動制御ピンＰ２が配置されている。
【００２５】
回転アーム２１の基端側には、付勢伝達部２２が連結され、付勢伝達部２２は、付勢ばね等から構成される付勢部材２３によって基端側から先端側に向けて付勢されている。付勢伝達部２２には、閉動側から開動側に向けて延びる折れ線状をなす付勢制御溝２２Ｇが形成されている。付勢制御溝２２Ｇは、閉動側の溝端部を最も基端側に有し、開動側の溝端部を最も先端側に有し、閉動側の溝端部から開動側の溝端部に向けて先端側への変位が緩やかになる折れ線状をなす。こうした形状をなす付勢制御溝２２Ｇには、作動用アーム片２１ｄに固定された付勢制御ピンＰ１が差し込まれている。
【００２６】
そして、回転アーム２１が突出位置に配置されるとき、基端側から先端側に向く付勢方向Ｄに沿って付勢部材２３から付勢伝達部２２に付勢力が加えられると、付勢制御溝２２Ｇにおける基端側の溝側壁は付勢制御ピンＰ１を押圧する。
【００２７】
この際に、付勢制御溝２２Ｇにおける閉動側の溝部分に付勢制御ピンＰ１は配置され、付勢制御ピンＰ１に対し開動方向への外力が加えられない限り、すなわち、回転アーム２１に回転力が加えられない限りは、回転アーム２１は突出位置に保たれる。本実施形態では、これら付勢制御溝２２Ｇにおける閉動側の溝部分と付勢制御ピンＰ１とが解除部を構成する。
【００２８】
一方で、例えば、誘導用アーム片２１ａが先端側から基端側に向けて押されると、こうした押圧力は、突出位置から退避位置に向けた回転力として回転アーム２１に加わり、結果として、付勢制御ピンＰ１は、付勢制御溝２２Ｇにおける閉動側の溝部分に沿って変位する。そして、付勢制御溝２２Ｇにおける基端側の溝部分が付勢制御ピンＰ１を押圧し、付勢制御ピンＰ１が付勢制御溝２２Ｇにおける開動側の溝部分に沿って変位する続けることによって、回転アーム２１は退避位置まで回転する。なお、付勢制御溝２２Ｇの形状に追従して付勢制御ピンＰ１が回転するため、付勢制御ピンＰ１の先端側への変位の速度は、回転アーム２１が退避位置に近づくほど緩やかになる。本実施形態では、付勢制御溝２２Ｇにおける開動側の溝部分と、付勢制御ピンＰ１と、付勢部材２３とによって、付勢部が構成されている。
【００２９】
なお、回転アーム２１が退避位置に配置される状態にて、付勢部材２３の付勢に抗した力が回転力として回転アーム２１に作用すると、付勢制御ピンＰ１が付勢制御溝２２Ｇにおける開動側の溝部分から閉動側の溝部分へ変位して、回転アーム２１は突出位置へ変位する。そして、付勢制御溝２２Ｇにおける閉動側の溝部分を付勢制御ピンＰ１が開動側へ移動できる程度に、回転アーム２１に回転力が加えられるまで、回転アーム２１は突出位置に保たれる。
【００３０】
回転アーム２１の先端側には、制動部としてのダンパー２５に連結された制動伝達部２４が配置されている。制動伝達部２４には、閉動側から開動側に向けて延びる折れ線状をなす制動制御溝２４Ｇが形成されている。制動制御溝２４Ｇは、基端側が凸となる折れ線状をなし、こうした形状をなす付勢制御溝２２Ｇには、作動用アーム片２１ｄに固定された制動制御ピンＰ２が差し込まれている。
【００３１】
そして、回転アーム２１が突出位置から退避位置に向けて回転するとき、制動制御溝２４Ｇにおける先端側の溝側面が制動制御ピンＰ２に押圧され、回転アーム２１の回転が制動される。なお、回転アーム２１が退避位置から突出位置に向けて回転するとき、制動制御溝２４Ｇにおける基端側の溝側面が制動制御ピンＰ２に押圧されが、回転アーム２１が退避位置から突出位置に向けて回転する際には、ダンパー２５は制動機能を発現しない。
【００３２】
壁面Ｗには、保持部としてのストッパー部３０が取り付けられている。ストッパー部３０には、ストッパー部３０の作動の状態の切り替えを操作する操作部３１が設けられている。
【００３３】
図２に示されるように、ストッパー部３０の筐体３２の下部には、操作部３１が取り付けられ、操作部３１には、上下方向に延びるストッパーピンＰ３が組み付けられている。ストッパーピンＰ３の周囲には、操作部３１と筐体３２とに挟まれるコイルばねＳＰが巻き回され、ストッパーピンＰ３の上端部は、筐体３２の上壁を上下方向に沿って貫通している。操作部３１には、上下方向に延びる係止突起３１ａが設けられ、係止突起３１ａは、筐体３２に固定された切り替え部としてのラッチ３３と係合している。本実施形態では、ストッパーピンＰ３の先端部のみが筐体３２から突き出ている状態が、ストッパー部３０の初期状態として設定されている。
【００３４】
そして、上述の初期状態から操作方向ＰＲに沿って操作部３１が押されるとき、操作部３１は、コイルばねＳＰの付勢に抗して筐体３２の内部に入り込み、ストッパーピンＰ３は、その長軸方向の中間まで筐体３２から突き出る。操作部３１の係止突起３１ａは、ラッチ３３の内部に入り込み、ラッチ３３は、入り込んだ係止突起３１ａの配置を保つ。これによって、操作部３１の配置の状態、すなわち、ストッパーピンＰ３の半分が筐体３２から突き出る状態が保たれる。
【００３５】
次いで、操作部３１が操作方向ＰＲに沿って再び押されるとき、操作部３１は、コイルばねＳＰの付勢に抗して筐体３２の内部にさらに入り込み、ストッパーピンＰ３は、筐体３２からさらに突き出る。そして、操作部３１の係止突起３１ａは、ラッチ３３の内部にさらに入り込み、ラッチ３３は、入り込んだ係止突起３１ａの配置の保持を解除する。これによって、ストッパー部３０は初期状態に戻される。
【００３６】
図３から図５を参照して上記ドアストッパーの作用について説明する。
図３に示されるように、回転アーム２１が突出位置に配置された状態にて、ドアが閉動方向Ｒ１に沿って回転すると、被誘導ピンＰＣは誘導制御溝１１の内部に進入してキャッチャー１０の押圧面１１ａと被誘導ピンＰＣとが当接する。この際に、被誘導ピンＰＣは、ドアの慣性力に相当する反力を押圧面１１ａから押圧力として受け、押圧面１１ａに沿って強制的に変位し、次いで、引込面１１ｂに沿って基端側に変位する。結果として、付勢制御溝２２Ｇにおける閉動側の溝部分を付勢制御ピンＰ１が溝部分に沿って移動できる程度に、回転アーム２１には回転力が加えられ、突出位置から退避位置に向けた回転が回転アーム２１にて開始される。そして、付勢部材２３の付勢力によって回転アーム２１の回転が続けられると、回転アーム２１の回転力は、キャッチャー１０が回転アーム２１を引込む力に変換される。すなわち、回転アーム２１の回転力は、ドアがドアフレームに引き寄せられる力に変換される。
【００３７】
図４に示されるように、ドアがドアフレームに到達すると、回転アーム２１は退避位置に到達する。この際に、ドアの上側ドア端面ＤＦとフレーム下端面ＷＦとの間に回転アーム２１の全体が収容されるため、誘導用アーム片２１ａや保持用アーム片２１ｂが、上側ドア端面ＤＦとフレーム下端面ＷＦとの間から突き出る場合に比べて、ドアの周辺で利用者の受ける制約が軽減される。
【００３８】
なお、ドアがドアフレームに到達した状態からドアが開けられると、被誘導ピンＰＣは、引込面１１ｂに沿って先端側に変位し、これに伴って、付勢制御ピンＰ１は、付勢制御溝２２Ｇにて閉動側に変位する。そして、被誘導ピンＰＣが押圧面１１ａに到達すると、付勢制御ピンＰ１は付勢制御溝２２Ｇにおける閉動側の端部に到達し、回転アーム２１は突出位置に配置される。これによって、回転アーム２１に対する付勢力が制御された状態で、回転アーム２１がキャッチャー１０から引き出される。
【００３９】
図５に示されるように、回転アーム２１が突出位置に配置された状態にて、ドアが開動方向Ｒ２に沿って回転すると、上側ドア端面ＤＦの開動側に突き出る保持用アーム片２１ｂの先端部は、ストッパー部３０の直上に到達する。この際に、初期状態のストッパー部３０にて、操作方向ＰＲに沿って操作部３１が押し込まれると、ストッパー部３０の筐体３２からストッパーピンＰ３が突出し、突出したストッパーピンＰ３は、保持用アーム片２１ｂに形成されたピン挿入孔２１ｃに挿入される。結果として、ストッパーピンＰ３と保持用アーム片２１ｂとが係合してドアの閉動が規制され、ドアが壁面Ｗに保持される。
【００４０】
以上説明したように、本実施形態によれば、以下に列挙する効果が得られる。
（１）回転アーム２１が突出位置に配置されるとき、保持用アーム片２１ｂがドアの開動側に突き出るため、保持用アーム片２１ｂとストッパー部３０との係合が可能であって、ドアを壁面Ｗに保持することが可能となる。
【００４１】
（２）回転アーム２１がキャッチャー１０の内部へ誘導された状態では、誘導用アーム片２１ａと保持用アーム片２１ｂとの双方が退避位置に配置されるため、回転アーム２１が突出位置に配置される場合に比べて、ドアの周辺で利用者の受ける制約が軽減される。
【００４２】
（３）そして、ドアが閉じられる際にドアをドアフレームまで誘導するドアクローザーとしての機能と、ドアを壁面Ｗに保持するドアストッパーとしての機能との両方の機能が、回転機構２０における１つの回転アーム２１の回転を通じ、簡易な構成によって実現される。
【００４３】
（４）ストッパー部３０と回転アーム２１との係合とその係合の解除とが操作部３１による操作によって切り替えられるため、ストッパー部３０におけるドアの保持とその解除との確実性を高めることが可能にもなる。
【００４４】
（５）回転アーム２１がキャッチャー１０の内部へ誘導された状態では、回転アーム２１の全体が上側ドア端面ＤＦとフレーム下端面ＷＦとの間に収容されるため、ドアの周辺で利用者の受ける制約がさらに軽減される。そのうえ、ドアが閉じられた状態ではフック等の構造体がドアから突き出る従来の形態と比べて、上側ドア端面ＤＦとフレーム下端面ＷＦとの間に回転アーム２１が隠れるため、ドアやドアフレームの見栄えが向上される。
【００４５】
（６）回転アーム２１がキャッチャー１０の内部へ誘導された状態では、付勢制御溝２２Ｇにおける開動側の溝部分と付勢制御ピンＰ１との係合によって、回転アーム２１が退避位置に向けて付勢されるため、回転アーム２１の退避位置への変位が付勢力によって補助される。
【００４６】
（７）回転アーム２１がキャッチャー１０から離れるとき、付勢制御溝２２Ｇにおける閉動側の溝部分に付勢制御ピンＰ１が配置され、これによって、回転アーム２１を退避位置に向ける付勢が解除される。それゆえに、回転アーム２１を退避位置に向ける付勢が回転アーム２１に作用し続ける場合に比べて、回転アーム２１の突出位置への変位が実現されやすくなる。
【００４７】
（８）回転アーム２１の回転がダンパー２５によって制動されるため、回転アーム２１に対する付勢によって回転アーム２１が急激に回転することが抑えられる。
上記実施形態は、以下のように変更して実施することもできる。
【００４８】
・回転機構では、回転アームを作動させる作動部が付勢ばね等の付勢部材以外であってもよく、例えば、各種のアクチュエーターによって回転アームが作動される構成であってもよい。この際に、上記付勢部材２３や付勢制御ピンＰ１と同様に、可動体が誘導部に誘導されたか否かを機械的あるいは電気的に検出する検出部を備え、誘導されたことを検出部が検出したときに各種のアクチュエーターが回転アームを退避位置へ付勢する構成であればよい。また、可動体が保持部へ移動しているか否かを機械的あるいは電気的に検出する検出部を備え、移動していることを検出部が検出したときに各種のアクチュエーターが回転アームに対する付勢を解除する構成であればよい。
【００４９】
要するに、ドア等の可動体が誘導部に誘導されたことを条件とし、該条件が成立するときに回転アームの端部を退避位置に向けて付勢し、且つ、可動体が保持部へ移動することを条件とし、該条件が成立するときに回転アームに対する付勢を解除する構成であればよい。
【００５０】
・回転アームの端部を退避位置に向けて付勢する構成は、例えば、可動体が誘導部に誘導されることによって誘導部に押下される機械的あるいは電気的なスイッチと、該スイッチが押下によって作動する付勢部とを回転機構が備える構成であってもよい。
【００５１】
・回転アームの端部に対する付勢を解除する構成は、例えば、可動体が誘導部から保持部へ移動することによって誘導部による押下が解除される機械的あるいは電気的なスイッチと、該スイッチが押下によって作動を停止する付勢部とを回転機構が備える構成であってもよい。
【００５２】
・退避位置では、回転アームの全てが可動体の内部に収容されてもよく、あるいは、回転アームの一部が可動体の外部に配置されてもよい。要するに、退避位置では、突出位置よりも回転アームが可動体に近い状態であればよい。
【００５３】
・保持部は、例えば、ピン挿入孔２１ｃに掛け止めされるフックやピンであってもよく、操作部が省略された構成であってもよい。
・回転アームにおける誘導アーム片は、対象物を捕捉するキャッチャーとしての機能を備え、誘導部は、対象物としてのストライカーであってもよい。要するに、誘導部は、可動体における誘導部側に突出した端部との係合によって誘導部に対して可動体を相対的に誘導する構成であればよい。
【００５４】
・回転アームは、１つ以上の板状部材の連結体として構成されてもよい。特に、保持用アーム片２１ｂが交換されることの可能な構成であれば、保持部の構造や配置に合わせた保持用アーム片２１ｂを利用者に選択させることが可能にもなる。
【００５５】
・回転機構の設けられる可動体は、住宅のドア、自動車のドア、什器の扉や蓋、各種の機器の扉や蓋など、各種の可動体を利用することができる。また、可動体における移動の形態は、回転であってもよく、並進であってもよい。
【符号の説明】
【００５６】
Ａ…回転軸、Ｄ…付勢方向、Ｗ…壁面、ＤＦ…上側ドア端面、Ｐ１…付勢制御ピン、Ｐ２…制動制御ピン、Ｐ３…ストッパーピン、ＰＣ…被誘導ピン、ＰＲ…操作方向、Ｒ１…閉動方向、Ｒ２…開動方向、ＳＰ…コイルばね、ＷＦ…フレーム下端面、１０…キャッチャー、１１…誘導制御溝、１１ａ…押圧面、１１ｂ…引込面、２０…回転機構、２１…回転アーム、２１ａ…誘導用アーム片、２１ｂ…保持用アーム片、２１ｃ…ピン挿入孔、２１ｄ…作動用アーム片、２２…付勢伝達部、２２Ｇ…付勢制御溝、２３…付勢部材、２４…制動伝達部、２４Ｇ…制動制御溝、２５…ダンパー、３０…ストッパー部、３１…操作部、３１ａ…係止突起、３２…筐体、３３…ラッチ。
【図１】
2014101653.tif 000003
【図２】
2014101653.tif 000004
【図３】
2014101653.tif 000005
【図４】
2014101653.tif 000006
【図５】
2014101653.tif 000007